(57)【要約】【課題】  作業車の作業装置連結構造において、支持部材の付近を支点として作業装置（連結部材）のヨーイングが生じても、支持部材から作業装置の連結部材が外れると言う事態に発展する可能性が小さなものとなるように構成する。【解決手段】  機体の後部のトップリンク１６及びロアリンク１７の後部に亘り支持部材１８を接続して、支持部材１８の上部に上部支持部１８ｃを備え、支持部材１８の下部の右及び左側部に、左右方向にスライド操作自在な右及び左の係合部材２４を備える。作業装置の連結部材の上部連結部が支持部材１８の上部支持部１８ｃに支持され、作業装置の連結部材の右及び左の連結口に、支持部材１８の右及び左の係合部材２４が挿入されることにより、支持部材１８に作業装置の連結部材が連結されるように構成する。【選択図】        図４
2005087158.tif 000002
【特許請求の範囲】
【請求項１】
機体の後部にトップリンク及びロアリンクを上下揺動自在に備えて、前記トップリンク及びロアリンクの後部に亘り支持部材を接続し、
前記支持部材の上部に上部支持部を備えて、前記支持部材の下部の右側部に、左右方向にスライド操作自在な右の係合部材を備え、前記支持部材の下部の左側部に、左右方向にスライド操作自在な左の係合部材を備えて、
作業装置に備えられた連結部材の上部連結部が前記支持部材の上部支持部に支持され、前記作業装置の連結部材の右及び左側部に左右方向に開口された右及び左の連結口に、前記支持部材の右及び左の係合部材が挿入されることにより、前記支持部材に作業装置の連結部材を連結可能に構成してある作業車の作業装置連結構造。
【請求項２】
前記支持部材の右及び左側部に受け部を備えて、前記作業装置の連結部材の右及び左の接当部が前記支持部材の右及び左の受け部に接当することにより、前記支持部材に対する作業装置の左右方向の位置決めが行われるように構成してある請求項１に記載の作業車の作業装置連結構造。
【請求項３】
前記支持部材の右及び左の係合部材を前記支持部材の右及び左の受け部にスライド操作自在に備えてある請求項２に記載の作業車の作業装置連結構造。
【請求項４】
前記トップリンクの後部を前記支持部材の右及び左の受け部に上下に揺動自在に接続してある請求項２又は３に記載の作業車の作業装置連結構造。
【請求項５】
前記支持部材に作業装置の連結部材を連結した状態で、前記ロアリンクの後部と支持部材との接続部分よりも後方に作業装置の連結部材が位置して、前記作業装置の連結部材が支持部材に側面視で傾斜した姿勢で連結されるように、前記支持部材の上部支持部、前記支持部材の右及び左の係合部材を配置してある請求項１〜４のうちのいずれか一つに記載の作業車の作業装置連結構造。
【発明の詳細な説明】
【技術分野】
【０００１】
本発明は、乗用型田植機や乗用型直播機、乗用型管理機、農用トラクタ等の作業車において、機体の後部での作業装置の連結構造に関する。
【背景技術】
【０００２】
作業車の一例である乗用型田植機では、例えば特許文献１及び２に開示されているように、機体の後部にトップリンク及びロアリンク（特許文献１の図５，６，７中の３Ａ）を上下揺動自在に備えて、トップリンク及びロアリンクの後部に亘り支持部材（特許文献１の図５，６，７中の８）を接続し、支持部材の上部に上部支持部（特許文献１の図５，６，７中の９）を備え、支持部材の下部の右及び左側部に、前後方向に揺動自在な右及び左のフック部材（特許文献１の図５，６，７中の１４）を備えたものがある。
【０００３】
以上の構造により、作業装置に備えられた連結部材（特許文献１の図５，６，７中の３２）の上部連結部（特許文献１の図５，６，７中の３３）を、支持部材の上部支持部に支持させ、作業装置の連結部材のピン部（特許文献１の図５，６，７中の３４）を、支持部材の右及び左のフック部材に支持させる。これにより、支持部材に作業装置の連結部材が連結されるのであり、作業装置が機体の後部にトップリンク及びロアリンクを介して支持される。
この場合、支持部材の右及び左のフック部材を前後方向に揺動操作して作業装置の連結部材のピン部から外すことにより、支持部材から作業装置の連結部材を取り外すことができるので、取り外した作業装置のメンテナンス作業を行ったり、同じ連結部材を備えた別の作業装置を支持部材に連結したりすることができる。
【０００４】
【特許文献１】特開平９−１４９７１５号公報（図５，６，７）
【特許文献２】特開平９−２９８９１０号公報（図１，３，４）
【発明の開示】
【発明が解決しようとする課題】
【０００５】
例えば作業装置が左右方向に横幅の広いものである場合、支持部材に作業装置の連結部材を連結した状態において、支持部材の付近を支点として作業装置（連結部材）の右及び左側部が前後に振れるような状態（ヨーイング）の生じることがある。従って、特許文献１及び２の構造において、前述のように支持部材の付近を支点として作業装置（連結部材）の右及び左側部が前後に振れるような状態（ヨーイング）が生じると、支持部材の右及び左のフック部材に作業装置から前後方向の負荷が掛かる。
【０００６】
この場合、支持部材の右及び左のフック部材は前後方向に揺動自在に構成されているので、支持部材の右及び左のフック部材に作業装置から前後方向の負荷が掛かると、支持部材の右及び左のフック部材が前後方向に揺動されてしまう可能性が考えられるのであり（支持部材の右及び左のフック部材の揺動方向と、支持部材の右及び左のフック部材に作業装置から掛かる負荷の方向とが、同じ方向である点による）、支持部材から作業装置の連結部材が外れると言う事態に発展する可能性が考えられる。
本発明は作業車の作業装置連結構造において、支持部材の付近を支点として作業装置（連結部材）の右及び左側部が前後に振れるような状態（ヨーイング）が生じても、支持部材から作業装置の連結部材が外れると言う事態に発展する可能性が、小さなものとなるように構成することを目的としている。
【課題を解決するための手段】
【０００７】
［Ｉ］
（構成）
本発明の第１特徴は、作業車の作業装置連結構造において次のように構成することにある。
機体の後部にトップリンク及びロアリンクを上下揺動自在に備えて、トップリンク及びロアリンクの後部に亘り支持部材を接続する。支持部材の上部に上部支持部を備えて、支持部材の下部の右側部に、左右方向にスライド操作自在な右の係合部材を備え、支持部材の下部の左側部に、左右方向にスライド操作自在な左の係合部材を備える。作業装置に備えられた連結部材の上部連結部が支持部材の上部支持部に支持され、作業装置の連結部材の右及び左側部に左右方向に開口された右及び左の連結口に、支持部材の右及び左の係合部材が挿入されることにより、支持部材に作業装置の連結部材を連結可能に構成する。
【０００８】
（作用）
本発明の第１特徴によると、作業装置に備えられた連結部材の上部連結部を支持部材の上部支持部に支持させ、作業装置の連結部材の右及び左側部に左右方向に開口された右及び左の連結口に、支持部材の右及び左の係合部材を挿入することにより、支持部材に作業装置の連結部材が連結される。
【０００９】
本発明の第１特徴によると、支持部材の右及び左の係合部材が左右方向にスライド操作自在に備えられており、支持部材の右及び左の係合部材を左右方向にスライド操作して作業装置の連結部材の右及び左の連結口に挿入するように構成している。
この場合、支持部材の付近を支点として作業装置（連結部材）の右及び左側部が前後に振れるような状態（ヨーイング）が生じて、支持部材の右及び左の係合部材に作業装置から前後方向の負荷が掛かっても、支持部材の右及び左の係合部材のスライド方向と、支持部材の右及び左の係合部材に作業装置から掛かる負荷の方向とが、互いに交差する異なる方向であることにより、支持部材の右及び左の係合部材がスライド操作されて作業装置の連結部材の右及び左の連結口から抜けると言う事態は生じない。
【００１０】
（発明の効果）
本発明の第１特徴によると、作業車の作業装置連結構造において、支持部材の付近を支点として作業装置（連結部材）の右及び左側部が前後に振れるような状態（ヨーイング）が生じても、支持部材の右及び左の係合部材がスライド操作されて作業装置の連結部材の右及び左の連結口から抜けると言う事態が生じることはなく、支持部材から作業装置の連結部材が外れると言う事態に発展することが無くなって、作業装置の連結強度を高めることができた。
【００１１】
［ＩＩ］
（構成）
本発明の第２特徴は、本発明の第１特徴の作業車の作業装置連結構造において次のように構成することにある。
支持部材の右及び左側部に受け部を備えて、作業装置の連結部材の右及び左の接当部が支持部材の右及び左の受け部に接当することにより、支持部材に対する作業装置の左右方向の位置決めが行われるように構成する。
【００１２】
（作用）
本発明の第２特徴によると、本発明の第１特徴と同様に前項［Ｉ］に記載の「作用」を備えており、これに加えて以下のような「作用」を備えている。
本発明の第２特徴によると、作業装置の連結部材の右及び左の接当部が支持部材の右及び左の受け部に接当することにより、支持部材に対する作業装置の左右方向の位置決めが行われるので、支持部材に対する作業装置の左右方向のガタ付きが抑えられる。これによって、支持部材に対する作業装置の左右方向のガタ付きにより、支持部材の右及び左の係合部材がスライド操作されて作業装置の連結部材の右及び左の連結口から抜けると言う事態が抑えられる。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、支持部材に対する作業装置の左右方向のガタ付きにより、支持部材の右及び左の係合部材がスライド操作されて作業装置の連結部材の右及び左の連結口から抜けると言う事態が抑えられるようになり、支持部材から作業装置の連結部材が外れると言う事態に発展することが無くなって、作業装置の連結強度を高めることができた。
【００１４】
［ＩＩＩ］
（構成）
本発明の第３特徴は、本発明の第２特徴の作業車の作業装置連結構造において次のように構成することにある。
支持部材の右及び左の係合部材を支持部材の右及び左の受け部にスライド操作自在に備える。
【００１５】
（作用）
本発明の第３特徴によると、本発明の第２特徴と同様に前項［Ｉ］［ＩＩ］に記載の「作用」を備えており、これに加えて以下のような「作用」を備えている。
前項［ＩＩ］に記載のように本発明の第２特徴によると、支持部材の右及び左の受け部の部分（作業装置の連結部材の右及び左の接当部の部分）において、支持部材に対する作業装置の左右方向のガタ付きが他の部分に比べて充分に小さなものになるので、本発明の第３特徴のように、支持部材の右及び左の係合部材を支持部材の右及び左の受け部にスライド操作自在に備えることによって、支持部材に対する作業装置の左右方向のガタ付きにより支持部材の右及び左の係合部材がスライド操作される状態を充分に抑えることができる。
【００１６】
（発明の効果）
本発明の第３特徴によると、本発明の第２特徴と同様に前項［Ｉ］［ＩＩ］に記載の「発明の効果」を備えており、これに加えて以下のような「発明の効果」を備えている。
本発明の第３特徴によると、支持部材に対する作業装置の左右方向のガタ付きにより、支持部材の右及び左の係合部材がスライド操作される状態を充分に抑えることができるようになって、支持部材に対する作業装置の左右方向のガタ付きにより、支持部材の右及び左の係合部材がスライド操作されて作業装置の連結部材の右及び左の連結口から抜けると言う事態が抑えられるようになり、支持部材から作業装置の連結部材が外れると言う事態に発展することが無くなって、作業装置の連結強度を高めることができた。
【００１７】
［ＩＶ］
（構成）
本発明の第４特徴は、本発明の第２又は第３特徴の作業車の作業装置連結構造において次のように構成することにある。
トップリンクの後部を支持部材の右及び左の受け部に上下に揺動自在に接続する。
【００１８】
（作用）
本発明の第４特徴によると、本発明の第２又は第３特徴と同様に前項［Ｉ］［ＩＩ］［ＩＩＩ］に記載の「作用」を備えており、これに加えて以下のような「作用」を備えている。
本発明の第４特徴によると、トップリンクの後部を支持部材の右及び左の受け部に上下に揺動自在に接続しており、支持部材の右及び左の受け部がトップリンクの後部の接続部に兼用される。
【００１９】
（発明の効果）
本発明の第４特徴によると、本発明の第２又は第３特徴と同様に前項［Ｉ］［ＩＩ］［ＩＩＩ］に記載の「発明の効果」を備えており、これに加えて以下のような「発明の効果」を備えている。
本発明の第４特徴によると、支持部材の右及び左の受け部がトップリンクの後部の接続部に兼用されているので、トップリンクの後部の専用の接続部を備える必要が無くなって（トップリンクの後部の専用の接続部を備えたとしても、小規模のものでよくなって）、構造の簡素化の面で有利なものとなった。
【００２０】
［Ｖ］
（構成）
本発明の第５特徴は、本発明の第１〜第４特徴の作業車の作業装置連結構造のうちのいずれか一つにおいて次のように構成することにある。
支持部材に作業装置の連結部材を連結した状態で、ロアリンクの後部と支持部材との接続部分よりも後方に作業装置の連結部材が位置して、作業装置の連結部材が支持部材に側面視で傾斜した姿勢で連結されるように、支持部材の上部支持部、支持部材の右及び左の係合部材を配置する。
【００２１】
（作用）
本発明の第５特徴によると、本発明の第１〜第４特徴のうちのいずれか一つと同様に前項［Ｉ］〜［ＩＶ］に記載の「作用」を備えており、これに加えて以下のような「作用」を備えている。
前項［Ｉ］〜［ＩＶ］に記載のように支持部材に作業装置の連結部材を連結する場合、ロアリンクの後部と支持部材との接続部分が作業装置の連結部材に干渉することがあるので、ロアリンクの後部と支持部材との接続部分が入り込む凹部を作業装置の連結部材に形成して、ロアリンクの後部と支持部材との接続部分が作業装置の連結部材に干渉しないように構成することがある。しかし、このように作業装置の連結部材に凹部を形成すると、作業装置の連結部材に応力集中が発生して、作業装置の連結部材の強度低下を招くことがある。
【００２２】
本発明の第５特徴によると、支持部材に作業装置の連結部材を連結した状態で、作業装置の連結部材が支持部材に側面視で傾斜した姿勢で連結されるように、支持部材の上部支持部、支持部材の右及び左の係合部材を配置することにより、ロアリンクの後部と支持部材との接続部分よりも後方に作業装置の連結部材が位置して、ロアリンクの後部と支持部材との接続部分が作業装置の連結部材に干渉しないように構成している。これにより、本発明の第５特徴によると、ロアリンクの後部と支持部材との接続部分が作業装置の連結部材に干渉することを避ける為に、作業装置の連結部材に凹部を形成する必要がないので、作業装置の連結部材に応力集中が発生することを避けることができる。
【００２３】
（発明の効果）
本発明の第５特徴によると、本発明の第１〜第４特徴のうちのいずれか一つと同様に前項［Ｉ］〜［ＩＶ］に記載の「発明の効果」を備えており、これに加えて以下のような「発明の効果」を備えている。
本発明の第５特徴によると、ロアリンクの後部と支持部材との接続部分が作業装置の連結部材に干渉することを避ける為に、作業装置の連結部材に凹部を形成する必要がなく、作業装置の連結部材に応力集中が発生することを避けることができるようになり、作業装置の連結部材の強度低下を避けることができるようになった。
【発明を実施するための最良の形態】
【００２４】
［１］
図１に示すように、前輪１及び後輪２を備えた機体の後部に、４条植型式の苗植付装置３が支持されて、作業車の一例である乗用型田植機が構成されている。図１及び図２に示すように、苗植付装置３は、フィードケース４、伝動ケース５、伝動ケース５の後部に回転駆動自在に支持された植付ケース６、植付ケース６の両端に備えられた一対の植付アーム７、接地フロート８及び苗のせ台９等を備えて構成されている。これにより、苗のせ台９が左右に往復横送り駆動されるのに伴って、植付ケース６が回転駆動され、苗のせ台９の下部から植付アーム７が交互に苗を取り出して田面に植え付ける。
【００２５】
図１に示すように、運転座席１０の後側に、肥料を貯留するホッパー１１、繰り出し部１２及びブロア１３が備えられており、接地フロート８に作溝器１４が備えられて、繰り出し部１２と作溝器１４とに亘ってホース１５が接続されている。これにより、前述のような苗の植え付けに伴って、ホッパー１１から肥料が所定量ずつ繰り出し部１２によって繰り出され、ブロア１３の送風により肥料がホース１５を通って作溝器１４に供給されるのであり、作溝器１４を介して肥料が田面に供給される。
【００２６】
図１及び図１４に示すように、苗植付装置３の右及び左横側部に右及び左のマーカー４５が備えられており、右及び左のマーカー４５は田面に接地して指標を描く作業位置、及び田面から上方に離れた退避位置に揺動自在に構成されている。右及び左のマーカー４５はバネ５０により作業位置に付勢されて、ワイヤ４６の引き操作により退避位置に操作されるように構成されており、右及び左のマーカー４５を退避位置に保持可能な保持フック５１が備えられている。
【００２７】
［２］
次に、トップリンク１６の後部、右及び左のロアリンク１７の後部に亘り接続される支持部材１８について説明する。
図３及び図４に示すように、機体の後部にトップリンク１６が上下に揺動自在に支持され、右及び左のロアリンク１７が上下に揺動自在に支持されている。図３，４，５に示すように、右及び左の受け部１８ａ、平板を平面視でコ字状に折り曲げて形成された中間部１８ｂ、断面Ｖ字状の上部支持部１８ｃが備えられて、右及び左の受け部１８ａに亘って中間部１８ｂと上部支持部１８ｃとを連結することにより、支持部材１８が構成されている。
【００２８】
図３，４，５に示すように、支持部材１８の右及び左の受け部１８ａの上部に支持軸１９が支持されて、トップリンク１６の後部が支持軸１９に上下に揺動自在に接続されている。支持部材１８の右及び左の受け部１８ａの下部に支持軸２０が支持されて、右及び左のロアリンク１７の後部が支持軸２０の端部に上下に揺動自在に接続されている。トップリンク１６の前部と機体の後部との接続部分に、単動型の油圧シリンダ２１が上下に揺動自在に支持され、支持軸２０に上下に揺動自在に接続された接続部材２２に、油圧シリンダ２１のシリンダロッド２１ａが接続されている。
【００２９】
以上の構造により、図３に示すように、油圧シリンダ２１を収縮作動させると、トップリンク１６、右及び左のロアリンク１７、支持部材１８が上昇駆動され、油圧シリンダ２１を伸長作動すると、トップリンク１６、右及び左のロアリンク１７、支持部材１８が下降駆動されるのであり、油圧シリンダ２１により支持部材１８を昇降駆動することができる。この場合、図３，４，５，６に示すように、支持部材１８の右及び左側部に右及び左の受け部１８ａが位置する状態となり、支持部材１８の右及び左の受け部１８ａが平板状の縦壁状で、機体の右及び左方に向く状態（支持部材１８の右及び左の受け部１８ａの面が機体の前後方向に沿う状態）となっている。
【００３０】
図３，４，５，６に示すように、支持部材１８の中間部１８ｂにボス部２３が固定されて、ピン状の右及び左の係合部材２４が左右方向にスライド自在にボス部２３に支持されている。支持部材１８の中間部１８ｂに支持ピン２５が固定され、連結レバー２６が支持ピン２５に揺動自在に支持されており、連結レバー２６が支持部材１８の左の受け部１８ａを通って機体の左方に延出されている。側面視Ｌ字状の右の操作アーム２７が、支持ピン２５に揺動自在に支持されて連結レバー２６に固定されており、右の操作アーム２７が右の係合部材２４の後部に接続されている。支持部材１８の中間部１８ｂに支持ピン２８が固定され、側面視Ｌ字状の左の操作アーム２７が支持ピン２８に揺動自在に支持されており、左の操作アーム２７が左の係合部材２４の後部に接続されている。右及び左の操作アーム２７がピン２９により接続されて、ピン２９が連結レバー２６に接続されており、ピン２９を上方に付勢するバネ３０が備えられている。
【００３１】
図４，６，８（イ）（ロ）に示すように、支持部材１８の左の受け部１８ａに支持ピン３１が固定され、側面視扇形状のロック部材３２が支持ピン３１に揺動自在に支持されており、バネ３３によりロック部材３２が連結レバー２６への係合側（図８（イ）（ロ）の紙面反時計方向）に付勢されている。支持部材１８の左の受け部１８ａに支持ピン３４が固定され、解除レバー３５が支持ピン３４に揺動自在に支持されて機体の前方に延出されており、解除レバー３５に固定された操作部３５ａが連結レバー２６及びロック部材３２に接当している。
【００３２】
以上の構造により、図８（イ）に示すように解除レバー３５を連結位置に操作している状態で、図７（ロ）に示すように連結レバー２６を連結位置に操作すると、右及び左の操作アーム２７により右及び左の係合部材２４がボス部２３から機体の右及び左に突出した連結位置にスライド操作される。連結レバー２６を連結位置に操作すると、図８（イ）に示すようにロック部材３２が紙面右方向に揺動して連結レバー２６に係合し、連結レバー２６が連結位置から移動できない状態となる。次に、図８（ロ）に示すように解除レバー３５を解除位置に操作すると、解除レバー３５の操作部３５ａによりロック部材３２が紙面左方に揺動操作されて連結レバー２６から離れ、解除レバー３５の操作部３５ａ及びバネ３０により、図７（イ）に示すように連結レバー２６が解除位置に操作され、右及び左の操作アーム２７により右及び左の係合部材２４がボス部２３に入り込んだ解除位置にスライド操作される。
【００３３】
図３，４，５に示すように、ボス部３６の右及び左側部に支持軸３６ａが固定されて、支持部材１８の右及び左の受け部１８ａの下部に、ボス部３６の支持軸３６ａが左右方向にスライド自在に支持されている。支持部材１８の右及び左の受け部１８ａとボス部３６との間にバネ３７が備えられ、ボス部３６が支持部材１８の左右中央に付勢されており、ボス部３６に固定されたピン３６ｂが支持部材１８の右の受け部１８ａに係合して、ボス部３６が回転しないように構成されている。
【００３４】
図５に示すように、ボス部３６に出力軸３８が回転自在に支持され、爪部材３９がスプライン構造により一体回転及びスライド自在に出力軸３８に外嵌されており、爪部材３９を突出側に付勢するバネ４０が備えられている。エンジン（図示せず）の動力を伝達するＰＴＯ軸４１が機体の後部から後方に延出されており、ユニバーサルジョイント４２を介してＰＴＯ軸４１が出力軸３８に接続されている。
【００３５】
［３］
次に、苗植付装置３に備えられた連結部材４３について説明する。
図９及び図１０に示すように、右及び左の平板状で縦壁状の接当部４３ａ、平板状の中間部４３ｂ、側面視でコ字状に折り曲げて形成された中間部４３ｃ、平板状の天板部４３ｄ及び軸状の上部連結部４３ｅが備えられて、右及び左の接当部４３ａに亘って中間部４３ｂ，４３ｃ、天板部４３ｄ及び上部連結部４３ｅを連結することによって、連結部材４３が構成されており、連結部材４３の右及び左の接当部４３ａに右及び左の連結口４３ｇが開口されている。連結部材４３の中間部４３ｃにボス部４４が固定されており、苗植付装置３（フィードケース４）がボス部４４に揺動自在（ローリング自在）に支持されている。
【００３６】
図９及び図１０に示すように、連結部材４３の中間部４３ｂに一対の支持ピン４７が固定され、平面視コ字状に折り曲げられて形成された正面視逆Ｌ字状の右及び左の操作アーム４８が支持ピン４７に揺動自在に支持されており、右の操作アーム４８と右のマーカー４５とに亘ってワイヤ４６が接続され、左の操作アーム４８と左のマーカー４５とに亘ってワイヤ４６が接続されている。
【００３７】
図９及び図１０に示すように、平板状の操作部材４９が備えられ、操作部材４９の上部が折り曲げられてフック部４９ａが形成されており、操作部材４９の下部が折り曲げられて折り曲げ部４９ｂが形成されている。操作部材の４９の折り曲げ部４９ｂが連結部材４３の中間部４３ｂの長孔４３ｆに挿入されており、操作部材４９にピン４９ｃが固定されて、右及び左の操作アーム４８の端部が操作部材４９のピン４９ｃに接続されている。
【００３８】
［４］
次に、支持部材１８への連結部材４３の連結について説明する。
図８（イ）に示すように解除レバー３５を連結位置に操作し、図４及び図７（イ）に示すように連結レバー２６を解除位置に操作した状態（右及び左の係合部材２４がボス部２３に入り込んだ解除位置にスライド操作された状態）において、図１１及び図１２に示すように、連結部材４３の上部連結部４３ｅを支持部材１８の上部支持部１８ｃに乗せ付けて支持させ、トップリンク１６の後部の操作軸１６ａを操作部材４９のフック部４９ａの下側に入り込ませながら、連結部材４３の右及び左の接当部４３ａの間に、支持部材１８の右及び左の受け部１８ａ並びに中間部１８ｂを入り込ませて、連結部材４３の中間部４３ｃを支持部材１８の右及び左の受け部１８ａに接当させる。
【００３９】
前述の状態において、図１２に示すように、連結部材４３の右及び左の連結口４３ｇが支持部材１８の右及び左のボス部２３の位置に位置する。これにより、図７（ロ）に示すように、連結レバー２６を連結位置に操作すると、図１１及び図１２に示すように、右及び左の操作アーム２７により右及び左の係合部材２４がボス部２３から機体の右及び左に突出した連結位置にスライド操作され、右及び左の係合部材２４が連結部材４３の右及び左の連結口４３ｇに挿入されるのであり、図８（イ）に示すようにロック部材３２が紙面右方向に揺動して連結レバー２６に係合し、連結レバー２６が連結位置から移動できない状態となる。以上のようにして、支持部材１８への連結部材４３の連結を終了する。
【００４０】
図１１及び図１２に示すように、支持部材１８に連結部材４３を連結した状態において連結部材４３が支持部材１８の上部支持部１８ｃ、右及び左の係合部材２４の３点（上１点及び下２点）で支持された状態となるのであり、支持部材１８の付近を支点として苗植付装置３（連結部材４３）の右及び左側部が前後に振れるような状態（ヨーイング）が生じて、右及び左の係合部材２４に苗植付装置３から前後方向の負荷が掛かっても、右及び左の係合部材２４のスライド方向と、右及び左の係合部材２４に苗植付装置３から掛かる負荷の方向とが、互いに交差する異なる方向となっている。
【００４１】
図１１及び図１２に示すように、支持部材１８に連結部材４３を連結した状態において連結部材４３の右及び左の接当部４３ａの間に、支持部材１８の右及び左の受け部１８ａ並びに中間部１８ｂが入り込んで、連結部材４３の右及び左の接当部４３ａの間に、支持部材１８の右及び左の受け部１８ａ並びに中間部１８ｂが接当した状態となっており、支持部材１８に対する連結部材４３の左右方向の位置決めが行われている。
【００４２】
図１１及び図１２に示すように、支持部材１８に連結部材４３を連結した状態において連結部材４３が支持部材１８に側面視で傾斜した姿勢で連結されるように、支持部材１８の上部支持部１８ｃ、右及び左の係合部材２４が配置されており、支持軸２０（右及び左のロアリンク１７の後部と支持部材１８との接続部分）よりも後方に、連結部材４３（連結部材４３の右及び左の接当部４３ａ）が位置して、支持軸２０（右及び左のロアリンク１７の後部と支持部材１８との接続部分）が連結部材４３に干渉しない。
【００４３】
図１１及び図１４に示すように、苗植付装置３が田面付近に下降駆動され、右又は左のマーカー４５が作業位置に操作されていると、右又は左のマーカー４５によりワイヤ４６が引き操作される。これにより、連結部材４３において右及び左の操作アーム４８は図１４に示すように、右及び左の横方に揺動操作された状態となっており、操作部材４９が連結部材４３に対して下降している（操作部材４９の折り曲げ部４９ｂが連結部材４３の長孔４３ｆの下端に位置している）。
【００４４】
前述の状態で、苗植付装置３が上昇駆動されると（トップリンク１６、右及び左のロアリンク１７が上方に揺動駆動されると）、図１３及び図１５に示すように、トップリンク１６の操作軸１６ａが操作部材４９のフック部４９ａに接当して、操作部材４９が上方に持ち上げられる。これにより、操作部材４９のピン４９ｃによって右及び左の操作アーム４８が内方に揺動操作され、右及び左の操作アーム４８によりワイヤ４６が引き操作されて、右及び左のマーカー４５が退避位置に操作され、保持フック５１によって退避位置に保持される。
【００４５】
［発明の実施の別形態］
前述の［発明を実施するための最良の形態］において、苗植付装置３に代えて、直播装置や薬剤散布装置、除草装置等を支持部材１８に連結するように構成してもよい。
本発明は乗用型田植機ばかりではなく、乗用型直播機や乗用型管理機、農用トラクタ等にも適用できる。
【図面の簡単な説明】
【００４６】
【図１】乗用型田植機の全体側面図
【図２】苗植付装置の概略平面図
【図３】トップリンク及びロアリンク、支持部材の付近の側面図
【図４】支持部材の正面図
【図５】支持部材の縦断側面図
【図６】支持部材の付近の横断平面図
【図７】連結レバーを連結位置及び解除位置に操作している状態での支持部材の縦断正面図
【図８】解除レバーを連結位置及び解除位置に操作している状態での支持部材の縦断側面図
【図９】連結部材の正面図
【図１０】連結部材の付近の縦断側面図
【図１１】支持部材に連結部材が連結され、苗植付装置が田面付近に下降駆動されている状態での支持部材及び連結部材の付近の縦断側面図
【図１２】支持部材に連結部材が連結されている状態での支持部材及び連結部材の付近の横断平面図
【図１３】支持部材に連結部材が連結され、苗植付装置が上昇駆動されている状態での支持部材及び連結部材の付近の縦断側面図
【図１４】苗植付装置が田面付近に下降駆動されている状態での連結部材、右及び左のマーカーの背面図
【図１５】苗植付装置が上昇駆動されている状態での連結部材、右及び左のマーカーの背面図
【符号の説明】
【００４７】
３      作業装置
１６    トップリンク
１７    ロアリンク
１８    支持部材
１８ａ  支持部材の右及び左の受け部
１８ｃ  支持部材の上部支持部
２０    ロアリンクの後部と支持部材との接続部分
２４    支持部材の右及び左の係合部材
４３    作業装置の連結部材
４３ａ  作業装置の連結部材の右及び左の接当部
４３ｅ  作業装置の連結部材の上部連結部
４３ｇ  作業装置の連結部材の右及び左の連結口
【図１】
2005087158.tif 000003
【図２】
2005087158.tif 000004
【図３】
2005087158.tif 000005
【図４】
2005087158.tif 000006
【図５】
2005087158.tif 000007
【図６】
2005087158.tif 000008
【図７】
2005087158.tif 000009
【図８】
2005087158.tif 000010
【図９】
2005087158.tif 000011
【図１０】
2005087158.tif 000012
【図１１】
2005087158.tif 000013
【図１２】
2005087158.tif 000014
【図１３】
2005087158.tif 000015
【図１４】
2005087158.tif 000016
【図１５】
2005087158.tif 000017